(57)【特許請求の範囲】
【請求項１】
遊技機固有の識別子である遊技機識別子と、当該遊技機の構成部品固有の識別子である構成部品識別子と、遊技機の構成部品の回収先および遊技機の解体手順情報を含むリサイクル情報と、遊技機の取り外し状況を示す遊技機管理フラグと、遊技機の構成部品の回収状況を示す回収フラグとを関連付けて記憶する記憶手段と、
取外し対象遊技機に付されたバーコードから読み取られた前記遊技機識別子を遊技場に備えられている遊技場端末装置から受信する受信手段と、
前記受信手段により受信した前記遊技機識別子をリサイクル業者に備えられているリサイクル業者側端末装置に送信する送信手段と、
前記送信手段により送信した前記遊技機識別子に応答してリサイクル業者側端末装置から送信される内容確認情報を受信する内容確認情報受信手段と、
前記内容確認情報受信手段が前記内容確認情報を受信したことに基づいて、前記遊技機識別子に関連付けられている前記リサイクル情報を前記記憶手段から読み出すリサイクル情報読み出し手段と、
前記読み出したリサイクル情報を、前記リサイクル業者側端末装置に配信する配信手段と、
リサイクル業者から搬入された遊技機の構成部品に付されたバーコードから遊技機構成部品識別子を読み取る読み取り手段と、
前記受信手段により受信した前記遊技機識別子に関連付けられている前記遊技機管理フラグを、前記リサイクル情報配信後に、遊技機が遊技場に設置されている状態を示す第一の状態から遊技機が遊技場から取り外された状態を示す第二の状態に変更し、前記読み取り手段により読み取られた前記遊技機構成部品識別子に関連付けられている回収フラグを遊技機の構成部品がメーカーに回収されていない状態を示す第一の状態から遊技機の構成部品がメーカーに回収された状態を示す第二の状態に変更するフラグ設定手段とを備えることを特徴とするリサイクル支援装置。
【請求項２】
請求項１に記載のリサイクル支援装置において、
前記配信手段が配信する解体手順情報は、
構成部品の解体手順を示す解体要領図を示す画像情報であることを特徴とするリサイクル支援装置。
【請求項３】
請求項１または２に記載のリサイクル支援装置において、
前記遊技機識別子と、この遊技機識別子の遊技機が遊技場から取外されたことを示す取外し情報とを関連付けて記憶していく取外し情報記憶手段を備えたことを特徴とするリサイクル支援装置。
【請求項４】
請求項１〜３の内のいずれか一項に記載のリサイクル支援装置において、
前記取外し対象となる遊技機に関する情報を送信するリサイクル業者側端末装置を、複数のリサイクル業者側端末装置群の内から予め定めた規則に従って選択する選択手段を備えたことを特徴とするリサイクル支援装置。
【請求項５】
請求項４に記載のリサイクル支援装置において、
前記選択手段は、
所定期間内の部品回収率に応じた優先度でリサイクル業者側端末装置の選択を行う手段であることを特徴とするリサイクル支援装置。
【発明の詳細な説明】
【０００１】
本発明は、遊技機のリサイクルに関する情報であるリサイクル情報を配信するリサイクル支援装置に関する。
【０００２】
【従来の技術】
昨今、地球的な規模で資源の大切さがうたわれており、リサイクルに対する注目が集まっている。その中でも遊技機は販売台数が多くリサイクルに対する工夫が求められる分野である。現在では、遊技機にそのＩＤ（識別子）を表現するバーコードシールを張って、製造メーカから遊技場更には、解体等を行うリサイクル業者にどの遊技機がどのように流れているかを把握してリサイクルの効率を図るようにしている。
【発明が解決しようとする課題】
しかしながら、現状にあっては、本格的なリサイクルは開始したばかりであり、例えば解体手順等のリサイクル情報を円滑に入手することが困難である。しかも、製造から長らくたった部品にあっては、回収不能な状態まで劣化するものもあり、迅速なリサイクル作業を行なうための術の出現が望まれていた。また、リサイクル対象となってホール（遊技場）から取外された遊技機に関する情報管理や解体された部品を回収するに際しての情報管理等を確実に行うことも重要になってくる。
【０００３】
本発明は、かかる従来の課題を解決するためになされたもので、遊技機のリサイクル作業を迅速に行うようにしたリサイクル支援装置を提供することを目的とする。
【課題を解決するための手段】
上記目的を達成するために、本発明は、遊技機固有の識別子である遊技機識別子と、当該遊技機の構成部品固有の識別子である構成部品識別子と、遊技機の構成部品の回収先および遊技機の解体手順情報を含むリサイクル情報と、遊技機の取り外し状況を示す遊技機管理フラグと、遊技機の構成部品の回収状況を示す回収フラグとを関連付けて記憶する記憶手段と、取外し対象遊技機に付されたバーコードから読み取られた前記遊技機識別子を遊技場に備えられている遊技場端末装置から受信する受信手段と、前記受信手段により受信した前記遊技機識別子をリサイクル業者に備えられているリサイクル業者側端末装置に送信する送信手段と、前記送信手段により送信した前記遊技機識別子に応答してリサイクル業者側端末装置から送信される内容確認情報を受信する内容確認情報受信手段と、前記内容確認情報受信手段が前記内容確認情報を受信したことに基づいて、前記遊技機識別子に関連付けられている前記リサイクル情報を前記記憶手段から読み出すリサイクル情報読み出し手段と、前記読み出したリサイクル情報を、前記リサイクル業者側端末装置に配信する配信手段と、リサイクル業者から搬入された遊技機の構成部品に付されたバーコードから遊技機構成部品識別子を読み取る読み取り手段と、前記受信手段により受信した前記遊技機識別子に関連付けられている前記遊技機管理フラグを、前記リサイクル情報配信後に、遊技機が遊技場に設置されている状態を示す第一の状態から遊技機が遊技場から取り外された状態を示す第二の状態に変更し、前記読み取り手段により読み取られた前記遊技機構成部品識別子に関連付けられている回収フラグを遊技機の構成部品がメーカーに回収されていない状態を示す第一の状態から遊技機の構成部品がメーカーに回収された状態を示す第二の状態に変更するフラグ設定手段とを備えたことを特徴とするようにした。
【０００４】
この発明においては、遊技場端末装置から送信される取外し対象遊技機の遊技機識別子に関連付けられているリサイクル情報を記憶手段から読み出し、この読み出したリサイクル情報をリサイクル業者側端末装置に配信するので、リサイクル作業が迅速に行うことができる。
【０００５】
このリサイクル情報読み出し手段は、送信手段の情報送信に応答してリサイクル業者側端末装置が内容確認情報を送信してきたことに応答して、読み出し動作を起動させるようにすれば良い。
【０００６】
また、このリサイクル支援装置において、記憶手段を、遊技機識別子とその遊技機識別子を有する遊技機の構成部品の解体手順情報とを関連付けて記憶する手段とし、リサイクル情報読み出し手段を、受信した遊技機識別子に関連付られた各構成部品の解体手順情報を前記記憶手段から読み出す手段とし、配信手段を、読み出された各構成部品の解体手順情報をリサイクル業者側端末装置に配信する手段とすることができる。そして、配信手段が配信する解体手順情報は、構成部品の解体手順を示す解体要領図を示す画像情報であるようにすることもできる。
【０００７】
また、遊技機識別子と、この遊技機識別子の遊技機が遊技場から取外されたことを示す取外し情報とを関連付けて記憶していく取外し情報記憶手段を備えるようにしたり、遊技機識別子の遊技機の構成部品の識別子（構成部品識別子）と、この構成部品識別子の構成部品が実際に回収された場合に回収されたことを示す回収情報とを関連付けて記憶していく回収情報記憶手段を備えたりすることもできる。
【０００８】
更に、取外し対象となる遊技機に関する情報を送信するリサイクル業者側端末装置を、複数のリサイクル業者側端末装置群の内から予め定めた規則に従って選択する選択手段を備えても良く、例えば、選択手段を、所定期間内の部品回収率に応じた優先度でリサイクル業者側端末装置の選択を行う手段とすることができる。
【００１５】
（構成）
図１は、本発明の実施の形態のリサイクル支援システム１のブロック構成図である。このリサイクル支援システム１は、リサイクル業者側に設置されるリサイクル業者側端末装置１００と、遊技場（ホール）側に設置されるホール側端末装置２００と、製造メーカ等に設置されるリサイクル支援装置３００とを有していて、これらの装置は所要の情報を通信可能に通信網４００に接続されている。なお、端末装置１００、２００は、当然に複数台使用可能であるが、説明の容易化のため１台として説明する。また、ここではリサイクル業者側端末装置１００とリサイクル支援装置３００との間には他の情報処理装置が介在しないようにして説明しているが、リサイクル管理業者の端末装置を介在させる等、その構成は適宜変更しうる。さらに、通信網４００は、例えばインターネット網や専用線等を用いて実現され、より具体的には光ファイバーケーブル等の伝送媒体で実現される。
【００１６】
図２は、リサイクル支援装置３００のブロック構成図である。このリサイクル支援装置３００は、動作プログラムに従った動作を行うＣＰＵ等で実現される処理部３１０と、マウス等の入力デバイスで実現できる入力部３２０と、ＣＲＴ等の表示デバイスで実現できる表示部３３０と、ＨＤ等で実現できる記憶部３４０と、回収される構成部品に貼られているＩＤを記録したバーコード用シールからＩＤを読み取るバーコードリーダー３６０とを備えている。この記憶部３４０には、テーブルが格納されるテーブル領域３５０が形成されていて、このテーブル領域３５０に格納されるテーブルの参照、更新等は、処理部３１０によって行われるようになっている。なお、この場合、バーコードシステムに替えて、ＩＤタグとＩＤタグリーダーを用いたＩＤタグシステムを用いれば非接触でＩＤの確認が可能となる。
【００１７】
図５は、テーブル領域３５０に格納されるテーブル３５１の説明図である。図４に示すテーブル３５１は、遊技機固有に設定される遊技機識別子である遊技機ＩＤと、その遊技機を構成する各構成部品それぞれに固有に設定される構成部品ＩＤおよびその名称と、夫々の構成部品に対するリサイクル情報と、回収フラグと、遊技機管理フラグとを関連付けて記憶する。更に、納入先のホール名称、そのホールの場所、納入日付、取外し予定日等の情報も関連付けて記憶する。リサイクル情報としては、その製造年月日、回収先である部品回収先と、解体手順を示す解体手順情報と、回収時の単価とが含まれて、リサイクル業者がこれらの情報を迅速に得て円滑な作業を行なえるようにしている。なお、リサイクル情報はこの例に限られず他のものを適宜追加しても良く、情報更新は適宜行えば良い。
【００１８】
回収フラグはその構成部品が未だ回収されていない場合には「０」、実際に回収された場合には「１」となる。また、遊技機管理フラグは、その遊技機が遊技場に配設されている場合には「０」、取外される場合には「１」となる。処理部３１０は、ホール側端末装置２００から送信される遊技機ＩＤに対応するフラグを「０」から「１」に設定して遊技機フラグ情報の更新を行う。また、処理部３１０は、実際に回収されてきた構成部品に貼り付けられているバーコードをバーコードリーダー３６０が読みとると、対応する構成部品ＩＤの回収フラグを「０」から「１」として回収フラグの更新を行う。
【００１９】
図５に示す一例では、遊技機ＩＤ「０００００００１」の遊技機が「〇市〇町のホールＡに〇年〇月〇日」に納入され、遊技機の構成部品ＩＤが「０００００００１ａ」である構成部品が、「〇年〇月〇日」に製造され、この部品回収先は「Ｈ」、解体手順情報は「画像ａ１」回収時の単価は「ａ」となっている。また、発射装置（構成部品ＩＤ０００００００１ａ）が回収されて回収フラグが「０」から「１」になっていると共に、遊技機ＩＤ「０００００００１」の遊技機がホールから取外されて遊技機管理フラグが「０」から「１」とされている。
【００２０】
さて、図６に示すように、解体情報は解体要領図を示す画像情報で成っている。図６の例では発射装置の解体手順がその模式的説明図と共に表示される。解体手順は、▲１▼、▲２▼、▲３▼等で示される解体要領図を用いた説明がなされているため、リサイクル業者側はこれを見ながら解体作業を行なうので作業効率が向上する。
【００２１】
また、表示画面中のボタン（不図示）をクリックしていくと、順次解体手順が示されると共にそれに対応する解体要領図が表示されていくようにしても良い。要するに解体要領を示した図を画像情報で送信することによってリサイクル業者側の作業性を向上させうる。
【００２２】
図７はテーブル３５２の説明図である。このテーブル３５２は、リサイクル支援装置に対応するリサイクル業者名と、及びその採用の優先順位とを関連付けて記憶している。この例では優先順位「１」がリサイクル業者名「Ａ」の業者となっている。なお、後に説明するように、処理部３１０はこの優先順位は所定期間内での部品回収率によって変更するようにして業者選択を行うようにされている。なお、ここにリサイリル業者の所在地を示す情報やその時点での処理能力を付加して記憶させても良い。
【００２３】
次に、図３のブロック構成図を参照して、リサイクル業者側端末装置１００の構成を説明する。このリサイクル業者側端末装置１００は、動作プログラムに従った動作を行うＣＰＵ等で実現される処理部１１０と、マウス等の入力デバイスで実現できる入力部１２０と、ＣＲＴ等の表示デバイスで実現できる表示部１３０と、各種の情報を不揮発的に記憶する記憶部１４０と、遊技機本体やその構成部品に貼られているＩＤを記録したバーコード用シール（又はＩＤタグシール）からＩＤを読み取るバーコードリーダー１５０（又はＩＤタグリーダー）とを備えている。
【００２４】
次に、図４のブロック構成図を参照して、ホール側端末装置２００の構成を説明する。このホール側端末装置２００は、動作プログラムに従った動作を行うＣＰＵ等で実現される処理部２１０と、マウス等の入力デバイスで実現できる入力部２２０と、ＣＲＴ等の表示デバイスで実現できる表示部２３０と、各種の情報を不揮発的に記憶する記憶部２４０と、遊技機本体に貼られているＩＤを記録したバーコード用シール（又はＩＤタグシール）からＩＤを読み取るバーコードリーダー２５０（又はＩＤタグリーダー）とを備えている。
【００２５】
また、リサイクル業者側端末装置１００やホール側端末装置は、固定型の端末装置ではなく、携帯電話や可搬型でモバイル機能を有する小型情報処理装置等によっても実現可能であり、携帯型の端末装置を用いてリサイクル情報を得ることができることになる。なお、リサイクル業者側端末装置１００やホール側端末装置を携帯電話とすることによって、図１の構成において厳密に記載すると、基地局等の中継装置が必要となるが、本発明の主要部の理解の容易化のために敢えて基地局等の中継装置を図示せずに説明する。
【００２６】
（動作例１）
次に、図８に示す通信シナリオと、図９に示すリサイクル業者側端末装置１００の表示部１３０の表示画面とを参照して動作を説明する。
【００２７】
先ず、ホール側では、入力部２２０を操作して遊技機取外し月日を入力し、更に、取外し対象となる遊技機に貼り付けられたバーコードシールに記録されている遊技機ＩＤをバーコードリーダー２５０によって読み取らせると、処理部２１０はこれらを自動的にリサイクル支援装置３００に送信する（ステップＳ８００）。したがって、処理部１１０は、遊技機ＩＤの読み取り動作に連動して遊技機ＩＤをリサイクル支援装置３００に送信するのでＩＤ送信のための操作が容易となる。
【００２８】
リサイクル支援装置３００の処理部３１０がこれを受信する。処理部３１０は、テーブル３５２の優先順位「１」のリサイクル業者のリサイクル業者側端末装置１００を選択し（ステップＳ８０２）、受信した情報を取外し情報としてリサイクル業者側端末装置１００に送信する（ステップＳ８０４）。これに応答して、リサイクル業者側のオペレータが入力部１２０を操作して内容確認の旨を指示すると、処理部１１０はこれを内容確認情報としてリサイクル支援装置３００に送信する（ステップＳ８０６）。
【００２９】
この内容確認情報を受信したリサイクル支援装置３００の処理部３１０は、テーブル３５１において、この受信した遊技機ＩＤに関連付けて記憶されている各構成部品ＩＤのリサイクル情報を読み出す（ステップＳ８０８）。そして、処理部３１０は求めたリサイク情報をリサイクル業者側端末装置１００に送信する（ステップＳ８１０）。
【００３０】
次いでこれを受信した処理部１１０は、その表示部１３０にリサイクル情報を表示する。この際、図９に示すように、先に説明した解体手順の解体要領図を表示画面１３１の解体手順画像情報表示エリア１３２に表示すると共に、リサイクルする部品やユニットを図示又は画像により明示し、これ以外のリサイクル情報をリサイクル情報表示エリア１３２に表示するので、解体手順が見やすくなる。なお、図９では図示していないが、ボタンをクリックして順次異なる構成部品の解体手順が表示されるようにしている。
【００３１】
また、図９に示すように、処理部１１０は、構成部品ＩＤと単価と製造年月日とを対応付けてこれをリスト状にリサイクル情報表示エリア１３３に表示させて、送信した遊技機ＩＤに対応するリサイクル情報を把握容易としている。図４に示す例では、リサイクル業者側端末装置１００から遊技機ＩＤ「０００００００１」を送信した場合、構成部品ＩＤ「０００００００１ａ」、「０００００００１ｂ」、…が受信され、そられに対するリサイクル情報である製造年月日「〇年〇月〇日」、「×年×月×日」、…、それらに対する部品回収先「Ｈ」、「Ｈ」、…、それらに対する解体手順情報「画像ａ１」、「画像ａ２」、…、それらに対する単価「ａ」、「」、…が受信されて表示出力される。なお、この例では説明の容易化のため回収先を総て同一のメーカ「Ｈ」としている。
【００３２】
更に、ステップＳ８１２において、処理部３１０は、テーブル３５１において、先に受信した遊技機ＩＤに対応する遊技機管理フラグを「０」から「１」に変更して、この遊技機が取外されたことを示す情報を遊技機ＩＤと関連付けて記憶する。図５の例では、遊技機ＩＤ「０００００００１」の遊技機管理フラグが「０」から「１」になっている。
【００３３】
更に、この遊技機が解体されて構成部品が実際に回収されて、メーカ側に搬入されると（ステップＳ８１４）、構成部品に貼り付けられているバーコードシールに記録されている構成部品ＩＤをバーコードリーダー３６０に読み取らせる。すると、処理部３１０は、テーブル３５１において、この読み取られた構成部品ＩＤに対応する回収フラグを「０」から「１」に変更して、この構成部品が回収されたことを示す情報を構成部品ＩＤと関連付けて記憶する。図５の例では、構成部品ＩＤ「０００００００１ａ」の回収フラグが「０」から「１」になっている。
【００３４】
したがって、この動作例１によれば、リサイクル支援装置３００は、ホール側端末装置２００から送信される取外し対象遊技機の遊技機ＩＤに関連付けられているリサイクル情報をテーブル３５１から読み出し、この読み出したリサイクル情報をリサイクル業者側端末装置１００に配信するので、リサイクル作業を迅速に行うことができる。
【００３５】
また、処理部３１０を、取外し情報の送信に応答してリサイクル業者側端末装置１００が内容確認情報を送信してきたことに応答して、リサイクル情報の読み出し動作を自動で起動させるようにして、リサイクル情報を適切なタイミングで送信することが可能となる。
【００３６】
また、このリサイクル支援装置３００は、読み出された各構成部品の解体手順情報をリサイクル業者側端末装置１００に配信し、しかも配信する解体手順情報を構成部品の解体手順を示す解体要領図を示す画像情報としているので解体作業の作業効率の向上が望める。
【００３７】
また、処理部３１０は、遊技機ＩＤと、この遊技機ＩＤの遊技機が遊技場から取外されたことを示す取外し情報とを関連付けて記憶したり、更に、遊技機ＩＤの遊技機の構成部品の識別子（構成部品ＩＤ）と、この構成部品ＩＤの構成部品が実際に回収された場合に回収されたことを示す回収情報とを関連付けて記憶していくので、遊技機の取外し情報や構成部品の回収情報を容易に管理することができるようになる。
【００３８】
（動作例２）
図１０を参照してこの動作例２について説明する。先ず、ステップＳ１０００において、リサイクル支援装置３００の処理部３１０は、テーブル３５１の回収フラグを参照して、所定期間例えば１か月間での部品（液晶表示ユニットや回路ユニットあるいはその他の部品）の回収率を演算する。そして、この回収率が所定値例えば９０（％）未満の場合には、リサイクリ業者の採用優先順位を変更する（ステップＳ１００２）。
【００３９】
これを図７を参照して具体的に説明する。今、優先順位「１」の「Ａ」を採用して回収率が９０（％）以上の場合には優先順位を変更しないが、回収率が９０（％）未満の場合には、優先順位「２」の「Ｂ」を優先順位「１」にすると共に、「Ａ」の優先順位最下位の「ｍ」とする。すると、次回のリサイクル業者選択（図８のステップＳ８０２）においては、「Ｂ」が選択されて取外し情報が「Ｂ」のリサイクル業者側端末装置１００に送信されるようになる。このようにして、回収率に応じて優先順位を変更し、変更した優先順位（場合によっては処理能力を考慮して優先順位を決めて）に応じてリサイクル業者側端末装置１００を選択していく。
【００４０】
したがって、この動作例２によれば、リサイクル支援装置３００は、所定期間内の部品回収率に応じた優先度でリサイクル業者側端末装置１００の選択を行うのでリサイクル業者間での業務速度の競争も行われて、一層リサイクル作業が迅速に行われるようになる。なお、リサイクル業者の選択はホールとの距離を考慮して一番近い業者を選択するようにしても良い。
【００４１】
このように、以上説明したきた本発明の実施形態によれば、ホール側端末装置２００が、取外し対象となる遊技機を指定する指定情報（遊技機ＩＤ）をリサイクル支援装置３００側に送信し、リサイクル支援装置３００は、この指定情報を受信し、受信した指定情報に対して予め関連付けられているリサイクル情報を求め、求めたリサイクル情報をリサイクル業者側端末装置１００に配信するので、リサイクル作業を迅速に行うことができる。
【００４２】
図１１は、図１に示す各装置の主要部のハードウエア構成図である。図１１に示す構成では、ＣＰＵ１１００と、動作プログラム１１１２を記録した記録媒体としてのＨＤ１１１０と、マウス１１２０（端末装置が携帯電話の場合には操作ボタン）と、ＣＲＴ１１３０（端末装置が携帯電話の場合には液晶表示装置）とを有し、これらが相互に所要の情報を通信可能にバス１１４０で接続されている。そして、ＣＰＵ１１００が、動作プログラム１１１２を実行することによって、以上説明してきたような各種の動作が実現できる。
【００４３】
以上、本発明の実施の形態について説明したきたが、本発明の要旨を逸脱しない範囲内において、本発明の実施の形態に対して種々の変形や変更を施すことができる。例えば、テーブル３５１におけるリサイクル情報の追加等を行ってより豊富なリサイクル情報を提供可能とすること、一連の動作はリサイクル業者側端末装置１００やホール側端末装置２００からパスワードを入力しなければ行なえないようにすること、等の種々の変形や変更が挙げられる。
【発明の効果】
以上説明してきたように、本発明によれば、遊技場端末装置から送信される取外し対象遊技機の遊技機識別子に関連付けられているリサイクル情報を記憶手段から読み出し、この読み出したリサイクル情報をリサイクル業者側端末装置に配信するので、リサイクル作業を迅速に行うことができるという効果が得られる。
【図面の簡単な説明】
【図１】本発明の実施形態であるリサイクル支援システム１のブロック構成図である。
【図２】リサイクル支援装置装置３００のブロック構成図である。
【図３】リサイクル業者側端末装置１００のブロック構成図である。
【図４】ホール側端末装置２００のブロック構成図である。
【図５】テーブル３５１の説明図である。
【図６】画像ａ１の説明図である。
【図７】テーブル３５２の説明図である。
【図８】動作の説明図である。
【図９】リサイクル業者側端末装置１００の表示画面の説明図である。
【図１０】他の動作を説明するフローチャートである。
【図１１】各装置のハードウエア構成図である。
【符号の説明】
１  リサイクル支援システム
１００  リサイクル業者側端末装置
１１０  処理部
１２０  操作部
１３０  表示部
１４０  記憶部
１５０  バーコードリーダー
２００  ホール側端末装置
２１０  処理部
２２０  入力部
２３０  表示部
２４０  記憶部
２５０  バーコードリーダー
３００  リサイクル支援装置
３１０  処理部
３２０  入力部
３３０  出力部
３４０  記憶部
３５０  テーブル領域
３５１  テーブル
３５２  テーブル
３６０  バーコードリーダー
４００  通信網
１１００  ＣＰＵ
１１１０  ＨＤ
１１１２  動作プログラム
１１２０  マウス
１１３０  ＣＲＴ
１１４０  バス
【図１】
0004421091.tif 000002
【図２】
0004421091.tif 000003
【図３】
0004421091.tif 000004
【図４】
0004421091.tif 000005
【図５】
0004421091.tif 000006
【図６】
0004421091.tif 000007
【図７】
0004421091.tif 000008
【図８】
0004421091.tif 000009
【図９】
0004421091.tif 000010
【図１０】
0004421091.tif 000011
【図１１】
0004421091.tif 000012